(57)【要約】【課題】エンドポイントのコネクション再設定を自動化し、オペレータの作業量を削減すると共に、サービス停止時間を短縮し人手作業による人為的な設定誤りをなくす。【解決手段】コネクション情報収集部１１が監視用ネットワーク２０を介して複数のネットワーク装置１〜ｎから周期的にコネクション情報を収集し、最新の情報をコネクション情報データベース１２に格納しておく。オペレータからコネクション再設定の対象となるエンドポイントが入力されると、コネクション情報抽出部１３はデータベース１２を検索して該当するコネクション情報を抽出し、コマンド生成部１４がコネクションの再設定に必要なコマンド列を生成する。更に、オペレータから優先度や再設定実行指示が与えられると、コネクション再設定部１５がそのコマンド列を所定の順番で該当するネットワーク装置に送信する。【選択図】図１
2007318265.tif 000002
【特許請求の範囲】
【請求項１】
監視用ネットワークを介して接続される複数のネットワーク装置から周期的にコネクション情報を収集するコネクション情報収集部と、
前記コネクション情報収集部で収集された前記複数のネットワーク装置のコネクション情報を保持するコネクション情報データベースと、
オペレータから入力されたエンドポイント情報に基づいて前記コネクション情報データベースを検索し、該当するコネクション情報を抽出するコネクション情報抽出部と、
前記抽出されたコネクション情報に基づいてコネクションの再設定に必要なコマンド列を生成するコマンド生成部と、
オペレータから与えられるコネクション再設定実行指示に基づいて、前記コマンド列を前記監視用ネットワークを介して前記ネットワーク装置の内の該当するネットワーク装置に送信するコネクション再設定部とを、
備えたことを特徴とするコネクション再設定システム。
【請求項２】
前記コネクション再設定部は、オペレータから与えられるコネクション再設定実行指示と再設定対象のコネクションの優先度に基づいて、該優先度の高いコネクションほど再設定によるコネクションの停止時間が短くなるような順番で前記コマンド列を前記監視用ネットワークを介して前記該当するネットワーク装置に送信することを特徴とする請求項１記載のコネクション再設定システム。
【請求項３】
監視用ネットワークを介して接続される複数のネットワーク装置から周期的にコネクション情報を収集するコネクション情報収集部と、
前記コネクション情報収集部で収集された前記複数のネットワーク装置のコネクション情報を保持するコネクション情報データベースと、
オペレータから入力されたトランク情報に基づいて前記コネクション情報データベースを検索し、該トランク情報で指定された単一ネットワーク内の同一ルートを通過する複数のコネクションに関する情報を抽出するコネクション情報抽出部と、
前記抽出されたコネクション情報に基づいて前記複数のコネクションの再設定に必要なコマンド列を生成するコマンド生成部と、
オペレータから与えられるコネクション再設定実行指示に基づいて前記複数のコネクションの再設定を順番に行うために、前記コマンド列から再設定対象のコネクションの削除コマンドと再設定コマンドを順番に読み出して前記監視用ネットワークを介して該当するネットワーク装置に送信するコネクション再設定部とを、
備えたことを特徴とするコネクション再設定システム。
【発明の詳細な説明】
【技術分野】
【０００１】
本発明は、ＡＴＭ(Asynchronous  Transfer  Mode:非同期転送モード)等のコネクションオリエンテッド型ネットワークにおける、コネクション再設定システムに関するものである。
【背景技術】
【０００２】
【特許文献１】特開平９−３６８８４号公報
【０００３】
上記特許文献１には、ＡＴＭスイッチとＡＴＭ端末との間の物理接続である光ファイバーケーブル等に障害が発生した場合や、ＡＴＭ機器の追加等によってＡＴＭネットワークの構成に変更が生じた場合のＡＴＭコネクション再設定方式が開示されている。
【０００４】
この特許文献１によれば、物理接続切断のイベントを感知して、まず、確立されていたＰＶＣ(Permanent  Virtual  Channel:固定接続型仮想チャネル)コネクションの経路情報を保持しておき、ＡＴＭネットワークの構成を再認識する。
【０００５】
そして、ネットワークの構成を再認識した後、ネットワークの構成情報を保持するデータベースを更新し、以前に保持しておいたＰＶＣコネクションの経路情報に基づいて、変更されたＡＴＭネットワーク上で最短となる経路或いは以前の情報に最も近い経路を検索し、その経路となるＡＴＭ機器のエージェントシステムに対してＰＶＣコネクション確立の情報を送り、ＰＶＣコネクションの再設定を行う。
【発明の開示】
【発明が解決しようとする課題】
【０００６】
前記特許文献１に記載されたように、単一のネットワーク内におけるコネクション再設定は、この文献による方法やＳｏｆｔ−ＰＶＣ・ＰＮＮＩ(Private  Network  Network  Interface)等の自律的なリルーティング機能を具備したネットワーク装置でネットワークを構成する方法によって実現することができる。
【０００７】
しかしながら、単一ネットワークのエンドポイント（例えば、加入者ポートや網間インタフェースを構成するポート）の変更に伴うコネクション再設定においては、その対向が当該管理対象ネットワークの範囲外となるので、上記の方法を採用することができなかった。そのため、オペレータ（ネットワーク運用者）が収容替えのコマンドを入力したり、専用のネットワーク監視装置の操作によって実行したりするという手作業で行わなければならなかった。
【０００８】
収容替えの対象となるエンドポイントは、通常複数のコネクションを収容し、かつ、その単位はポート単位の場合もあれば、複数のポートからなるカードスロット単位となる場合もあり、コネクションの総数が数百本に及ぶ場合もある。このように、エンドポイントの収容替えに伴って大量のコネクション張り替えが必要となり、更に収容変更先でも同一の設定となるように調整が必要であるので、オペレータの手作業によるコネクション再設定では、準備と実作業に多くの時間を費やすことになる。このため、再設定の対象となるコネクションのサービス停止時間が増大すると共に、人手による膨大な作業量に伴う人為的な設定誤りが発生するおそれがあるという課題があった。
【０００９】
本発明は、エンドポイントのコネクション再設定を自動化することにより、サービス停止時間を短縮すると共に、人為的な設定誤りをなくすことを目的としている。
【課題を解決するための手段】
【００１０】
本発明のコネクション再設定システムは、監視用ネットワークを介して接続される複数のネットワーク装置から周期的にコネクション情報を収集するコネクション情報収集部と、前記コネクション情報収集部で収集された前記複数のネットワーク装置のコネクション情報を保持するコネクション情報データベースと、オペレータから入力されたエンドポイント情報に基づいて前記コネクション情報データベースを検索し、該当するコネクション情報を抽出するコネクション情報抽出部と、前記抽出されたコネクション情報に基づいてコネクションの再設定に必要なコマンド列を生成するコマンド生成部と、オペレータから与えられるコネクション再設定実行指示に基づいて、前記コマンド列を前記監視用ネットワークを介して前記ネットワーク装置の内の該当するネットワーク装置に送信するコネクション再設定部とを備えたことを特徴としている。
【発明の効果】
【００１１】
本発明のコネクション再設定システムは、コネクション情報収集部によって複数のネットワーク装置から周期的にコネクション情報を収集して最新の情報をコネクション情報データベースに格納しておき、オペレータからエンドポイント情報が入力されたときには、コネクション情報抽出部でコネクション情報データベースを検索して該当するコネクション情報を抽出し、抽出されたコネクション情報に基づいてコマンド生成部がコネクションの再設定に必要なコマンド列を生成するように構成されている。更に、このコネクション再設定システムは、オペレータからコネクション再設定の優先度や再設定実行指示が与えられると、コネクション再設定部がそのコマンド列を該当するネットワーク装置に送信するように構成されている。
【００１２】
これにより、オペレータは、収容替え情報となる変更前後のポート位置及び収容スロットを入力するだけで、当該複数コネクションのパラメータ調査、再設定コマンド列作成、コマンド実行等の作業を手作業で行うことなく、複数コネクションを自動的に収容変更先のエンドポイントに再設定することができる。従って、オペレータは手動による再設定のために要する作業から開放されて準備期間が削減でき、かつ利用者にとってはオペレータの操作誤り等による不測の事態が防止されると共に、サービス停止時間が短縮されるという効果がある。
【発明を実施するための最良の形態】
【００１３】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１４】
図１は、本発明の実施例１を示すコネクション再設定システムの構成図である。
このコネクション再設定システムは、複数のネットワーク装置１，２，…，ｎとコネクション情報管理端末１０を、ｔｅｌｎｅｔ(TELecommunication  NETwork)等を利用した監視用ネットワーク２０を介して接続したものである。コネクション情報管理端末１０は、コネクション情報収集部１１、コネクション情報データベース１２、コネクション情報抽出部１３、コマンド生成部１４及びコネクション再設定部１５で構成されている。
【００１５】
コネクション情報収集部１１は、各ネットワーク装置１〜ｎから監視用ネットワーク２０を介してコネクション情報を周期的に収集するものである。コネクション情報データベース１２は、収集したコネクション情報を格納して最新の状態を保持するものである。コネクション情報抽出部１３は、オペレータから入力されたエンドポイント情報に基づいてコネクション情報データベース１２を検索し、該当するコネクション情報を抽出するものである。
【００１６】
コマンド生成部１４は、抽出されたコネクション情報からコネクションの再設定に必要なコマンド列を生成するものである。コネクション再設定部１５は、オペレータから与えられるコネクション再設定の優先度や再設定実行指示に基づいて、コマンド生成部１４で生成されたコマンド列を、監視用ネットワーク２０を介して該当するネットワーク装置１〜ｎに送信することにより、コネクション再設定のための制御を行うものである。
【００１７】
次に、このコネクション再設定システムの動作を説明する。
図２は、図１における周期的情報収集処理のフローチャートである。この周期的情報収集処理は、コネクション情報管理端末１０のコネクション情報収集部１１によって周期的に行われるものである。コネクション情報収集部１１は、各ネットワーク装置１〜ｎに順番にアクセスし（図２中のステップＳ１，Ｓ７）、各ネットワークがそれぞれ有しているコネクション情報を収集し（ステップＳ２）、日常運用上の構成変更や新規追加情報が有るか否かをチェックし（ステップＳ３）、変更された情報が有ればコネクション情報データベース１２の内容を更新する（ステップＳ４）ようになっている。
【００１８】
図３は、図１におけるコネクション収容変更動作の説明図である。
図３（ａ）は、コネクション収容変更の概念図で、例えばエンドポイントＡ−Ｂ間のコネクションにおいて、エンドポイントＢをエンドポイントＣに収容変更する場合、変更しない側のエンドポイントＡでは、変更前情報と変更後情報が重なるため、まず現在設定されているエンドポイントＡ−Ｂ間の旧コネクションを削除した後に、新規設定情報によって変更後のエンドポイントＡ−Ｃ間の新コネクションを再設定する。
【００１９】
図３（ｂ）は、コネクション収容変更動作を示す図である。コネクションのエンドポイントであるポートの位置変更は、オペレータがコネクション情報管理端末１０のコネクション情報抽出部１３に、変更前後のエンドポイント情報を入力することで開始される。ここで、エンドポイント情報は、該当するネットワーク装置と、このネットワーク装置内のスロット位置及びポートが含まれており、異なるネットワーク装置への収容変更やスロット間での収容変更も指定することができる。エンドポイント情報の入力により、コネクション情報抽出部１３は、コネクション情報データベース１２から現在の変更対象コネクションエントリーを抽出し、変更後のエンドポイント情報に各コネクション情報を書き換え、その情報を新規コネクション設定情報とする。コネクション削除及び再設定の動作は、オペレーション時点でリアルタイムに実行することもできるし、例えば、切り替えによるデータ断の影響が少ない深夜等の指定時刻を設定して実行することも可能である。
【００２０】
図４は、図１の収容替え処理の動作を示すフローチャートである。オペレータが削除対象のエンドポイント（Ｂ）と再設定対象のエンドポイント（Ｃ）のネットワーク装置、装置内のスロット位置及びポート等のエンドポイント情報を入力すると（ステップＳ１１，Ｓ１２）、コネクション情報抽出部１３はコネクション情報データベース１２から、エンドポイント（Ｂ）に終端するコネクションを抽出する（ステップＳ１３）。そして、再設定対象のコネクション数Ｔが決定される（ステップＳ１４）。
【００２１】
次に、Ｔ個の再設定対象コネクション毎に、削除コネクションと再設定コネクションのコマンド列が生成され、一時記憶される（ステップＳ１５〜Ｓ１８）。オペレータから再設定実行開始コマンドが入力され、或いは設定された指定時刻になると、再設定の実行が開始され（ステップＳ１９）、一時記憶されていたコマンド列に従ってＴ個のコネクションに対して削除と再設定が実行される（ステップＳ２０〜Ｓ２３）。
【００２２】
ポート収容替えに伴い、当該ポートに接続される伝送路の切り替えが必要である。伝送路の切り替えは、当該ポートに端末が直結されている場合には端末からのケーブル接続先を変更することが考えられる。また、伝送装置を経由している場合には、伝送装置内でのパス切り替えによる方法が考えられる。伝送路切り替えは、ポート収容替えの前後のどちらかに実施される。
【００２３】
コネクションの再設定を実施する際に優先度を付加することにより、コネクション変更時にデータ転送が中断される時間に差をつけることが可能である。例えば、図４のステップＳ１９における再設定実行開始前に、各コネクションに対して優先度を設定することができる。
【００２４】
図５は、収容替えに伴うデータ断時間の説明図である。
図５（ａ）に示すように、最初にコネクションの収容ポートをポートＢからポートＣに変更し、その後で伝送装置３０によって伝送路をポートＢ側からポートＣ側へ切り替える場合、図５（ｂ）に示すように、先ず、優先度が設定されていない（優先度が一番低い）コネクションのポート収容変更を行い、次に、優先度の低いコネクションから順番に収容変更を行う。そして、優先度が一番高いコネクションの収容替えを実施した後、伝送路の切り替えを行う。これにより、優先度の高いコネクションほどデータ断時間を短くすることができる。
【００２５】
逆に、伝送路切り替えを先に行い、その後コネクションのポート収容変更を行う場合には、伝送路を切り替えた後、優先度の高いコネクションから順番にポート収容変更を行うことになる。
【００２６】
以上のように、この実施例１のコネクション再設定システムは、周期的にネットワーク装置１〜ｎからコネクション情報を収集して最新のコネクション情報データベース１２に格納するコネクション情報収集部１１と、オペレータから入力されたエンドポイント情報に基づいてコネクション情報データベース１２を検索し、該当するコネクション情報を抽出するコネクション情報抽出部１３と、抽出されたコネクション情報からコネクションの再設定に必要なコマンド列を生成するコマンド生成部１４と、オペレータから与えられるコネクション再設定の優先度や再設定実行指示に基づいてコマンド列を該当するネットワーク装置に送信するコネクション再設定部１５を備えたコネクション情報管理端末１０を有している。
【００２７】
これにより、オペレータは、収容替え情報となる変更前後のポート位置及び収容スロットを入力するだけで、当該複数コネクションのパラメータ調査、再設定コマンド列作成、コマンド実行等の作業を手作業で行う必要がなくなり、複数コネクションを自動的に収容変更先のエンドポイントに再設定することができる。従って、オペレータは手動による再設定のために要する作業から開放されて準備期間が削減でき、かつ利用者にとってはオペレータの操作誤り等による不測の事態が防止されると共に、サービス停止時間が短縮されるという利点がある。
【実施例２】
【００２８】
単一ネットワーク上のコネクションのルートを、網間インタフェースＮＮＩ（Network  Network  Interface）区間を跨いだ複数セグメントからなるコネクションに分割することができる。
【００２９】
このコネクション分割を実施するためのコネクション再設定システムの構成は、図１と同様で、各ネットワーク装置１〜ｎとコネクション情報管理端末１０は、監視用ネットワーク２０を介して１：１に接続される。コネクション情報管理端末１０の構成も同様であるが、コネクション分割の場合、コネクション情報抽出部１３はオペレータによって入力されたトランク情報に基づいてコネクション情報データベース１２を検索し、該当するコネクション情報を抽出する機能ブロックとなる。
【００３０】
図６は、本発明の実施例２を示すコネクション分割の概念図である。
この図６では、ネットワークＮＷ１上のエンドポイントＡ−Ｂ間に設定されているコネクションＣＮ１が、網間インタフェースＮＮＩで接続されるポートＣとポートＤを跨いで、エンドポートＡとポートＣ間のコネクションＣＮ１ａと、エンドポイントＢとポートＤ間のコネクションＣＮ１ｂからなる２つのコネクションに分割されることを示している。
【００３１】
図７は、図６のコネクション分割の動作を示す説明図であり、図８は、図６のコネクション分割処理の動作を示すフローチャートである。
【００３２】
エンドポイントＡ−Ｂ間に設定されたコネクションＣＮ１の分割は、オペレータがコネクション情報管理端末１０のコネクション情報抽出部１３に対して、ネットワーク装置１とネットワーク装置２の間の経路をトランクＴＲＫから網間インタフェースＮＮＩ区間に変更するという入力を行うことによって実施される。ここでトランクＴＲＫとは、単一ネットワーク内のコネクション再設定が可能な経路である。一方、網間インタフェースＮＮＩの終端ポートは、単一ネットワーク上の再設定が不可能なエンドポイントである。ここでコネクションは、トランクＴＲＫを通過することによってセグメント分割はされない。
【００３３】
オペレータは、移動前ルート情報と移動後ルート情報として、トランクＴＲＫを通過するコネクションＣＮ１を、ポートＣからポートＤを跨いだ網間インタフェースＮＮＩ区間に変更するという情報を、コネクション情報管理端末１０に入力する（図８中のステップＳ３１，Ｓ３２）。これにより、コネクション情報抽出部１３は、コネクション情報データベース１２から、トランクＴＲＫを経路とする複数（Ｔ個）のコネクションＣＮ１すべてを抽出する（ステップＳ３３）。
【００３４】
コマンド生成部１４は、抽出されたコネクションＣＮ１の情報に基づいて、再設定対象コネクションの数Ｔに対して、それぞれ削除するコネクションＣＮ１の削除コマンド、並びにエンドポイントＡとポートＣ間に設定するコネクションＣＮ１ａ及びエンドポイントＢとポートＤ間に設定するコネクションＣＮ１ｂの設定コマンドを生成し、一時記憶する（ステップＳ３４〜Ｓ３８）。
【００３５】
その後、オペレータから再設定実行開始コマンドが入力され、或いは設定された指定時刻になると、再設定の実行が開始され（ステップＳ３９）、一時記憶されていたコマンド列に従ってＴ個のコネクションに対し、コネクション１個毎に削除と再設定が繰り返して実行される（ステップＳ４０〜Ｓ４３）。なお、これらのコネクションの削除と再設定の処理は、コネクション再設定部１５からの再設定コマンドに従って、ネットワーク装置１，２で同時に行われる。
【００３６】
また、このコネクション分割は、実施例１の収容替えと異なり伝送装置による伝送路の一括切り替えは行われない。従って、分割されるコネクション１個毎に削除と再設定を繰り返して行うことにより、分割によるサービス停止時間はどのコネクションもほぼ同じ時間となり、優先処理の必要はない。
【００３７】
以上のように、この実施例２のコネクション分割は、実施例１と同様のコネクション再設定システムを用いて行うので、オペレータは、移動前のトランクＴＲＫと移動後の網間インタフェースＮＮＩ区間のポートを指定するだけで、当該トランクＴＲＫを経路とする複数の分割対象のコネクションの抽出、各コネクションのパラメータ調査、分割後コネクションの再設定コマンド列作成、コマンド実行等の作業を手作業で行うことなく、複数コネクションを自動的に分割・再設定することができる。
【００３８】
従って、この実施例２においても、実施例１と同様の利点が得られる。
なお、本発明は、上記実施例に限定されず、種々の変形が可能である。この変形例としては、例えば、次のようなものがある。
（ａ）  実施例１では、コネクションのエンドポイントとなるポート位置の変更に伴うコネクション収容変更例を説明したが、ネットワーク装置を跨いだ空きポートへの収容変更により、使用するネットワーク装置を集約することができる。特に、本発明のコネクション再設定システムは、規模収縮が進むサービスを提供するネットワークの集約に好適である。
【００３９】
図９は、本発明の活用例を示すネットワーク装置集約の概念図である。
ネットワーク装置２において、残り１つとなったコネクション収容ポートをネットワーク装置１の空きポートへ収容替えし、コネクションが収容されたポートをなくすことで、このネットワーク装置２の運用を停止することができる。このように、このコネクション再設定システムは、ネットワーク装置集約のためのコネクション収容替えに利用できると共に、ネットワーク装置の故障による障害復旧作業や、ユーザ要求による収容位置変更等のネットワーク装置の保守や更改に伴う収容替えに利用することで、作業工数や作業ミスの削減を図ることができる。
【００４０】
（ｂ）  実施例２では、単一ネットワーク上のコネクションを分割再設定する例を説明したが、コネクション分割・再設定を繰り返すことで、単一ネットワークを複数のネットワークに分割することも可能である。
【００４１】
図１０は、本発明の活用例を示すネットワーク分割の概念図である。
先ず、図１０（ａ）に示すように、ネットワークＮＷ１内部に、網間インタフェースＮＮＩのポートであるポートＣとポートＤを設定する。ここで、ポートＣ，Ｄは、それぞれ別のネットワーク装置に設定するものとする。
【００４２】
次に、図１０（ｂ）に示すように、コネクション再設定システムを用いて、エンドポイントＡ１とエンドポイントＢ１の間に設定されたコネクションＣＮ１を、エンドポイントＡ１とポートＣ間のコネクションＣＮ１ａ及びエンドポイントＢ１とポートＤ間のコネクションＣＮ１ｂに分割する。以下同様に、コネクションＣＮ２をコネクションＣＮ２ａ及びコネクションＣＮ２ｂに、・・・、コネクションＣＮｎをコネクションＣＮｎａ及びコネクションＣＮｎｂに、それぞれ分割する。
【００４３】
その後、図１０（ｃ）に示すように、ネットワークＮＷ１を、ポートＣを含むネットワークＮＷ１ａと、ポートＤを含むネットワークＮＷ１ｂに分割する。
【００４４】
このようなネットワーク分割は、巨大化した単一のネットワークを、保守運用上の問題解決を容易にする目的や、ネットワーク単位に実施するネットワーク装置のファイル更新作業を、規模を縮小して安全・確実に実施するために行われる。従って、本発明のコネクション再設定システムを利用することにより、コネクション分割作業の確実性、工数削減及びサービス停止時間の短縮を図ることができる。
【図面の簡単な説明】
【００４５】
【図１】本発明の実施例１を示すコネクション再設定システムの構成図である。
【図２】図１における周期的情報収集処理のフローチャートである。
【図３】図１におけるコネクション収容変更動作の説明図である。
【図４】図１の収容替え処理の動作を示すフローチャートである。
【図５】収容替えに伴うデータ断時間の説明図である。
【図６】本発明の実施例２を示すコネクション分割の概念図である。
【図７】図６のコネクション分割の動作を示す説明図である。
【図８】図６のコネクション分割処理の動作を示すフローチャートである。
【図９】本発明の活用例を示すネットワーク装置集約の概念図である。
【図１０】本発明の活用例を示すネットワーク分割の概念図である。
【符号の説明】
【００４６】
１〜ｎ    ネットワーク装置
１０    コネクション情報管理端末
１１    コネクション情報収集部
１２    コネクション情報データベース
１３    コネクション情報抽出部
１４    コマンド生成部
１５    コネクション再設定部
【図１】
2007318265.tif 000003
【図２】
2007318265.tif 000004
【図３】
2007318265.tif 000005
【図４】
2007318265.tif 000006
【図５】
2007318265.tif 000007
【図６】
2007318265.tif 000008
【図７】
2007318265.tif 000009
【図８】
2007318265.tif 000010
【図９】
2007318265.tif 000011
【図１０】
2007318265.tif 000012